(57)【要約】      （修正有）【課題】老齢、病気、怪我、幼弱等の理由で歩行が困難なペットの散歩・治療通院等の際に、ペットが歩き易いように持上げて脚にかかる負担を軽減し、或いはペットを抱きかかえて運搬できる、ペット介助用の首輪、胴輪等の提供。【解決手段】ペット１の胴体に装着する胴輪部３と首に装着する首輪部５を連結部６で一体に形成し、胴輪部３と首輪部５に介助用バンド７と後肢バンド１０を備えた、ペットの歩行介助・運搬用胴輪Ａであり、飼主等が介助用バンド７を持ってペット１の胴体を持上げるように支持してその歩行を介助し、若しくは介助用バンド７を肩に掛け抱きかかえて運搬するように備えた、ペットの歩行介助・運搬用胴輪Ａによって課題を解決した。【選択図】図４
0003130391.tif 000002
【実用新案登録請求の範囲】
【請求項１】
ペットの胴体に中央部内面を腹部側から巻付けると共に両端部を背中側で布テープファスナー等で胴体の太さに合せて調節自在に留めるようにした略長方形の胴輪部と、ペットの首にその下側から巻付けて背中側で布テープファスナー等で首の太さに合せて調節自在に留めるようにした幅広な首輪状の首輪部を、該首輪部の後辺中央と胴輪部の前辺中央を帯状の連結部で連続形成して首輪部と胴輪部を一体に備え、
長さ調節自在な２本の介助用バンドの各一端を首輪部の左右外側面に固着すると共にその各他端を胴輪部の後辺一方端に着脱自在に取付け、また、胴輪部の後辺中央部に設定長の２本の後肢バンドの各一端を固着すると共にその各他端を、前記介助用バンドの各他端の取付部付近に着脱自在に取付けて備えた、ペットの歩行介助・運搬用胴輪であり、
ペットの胴体に上記胴輪部を、その中央部内面を腹部側から巻付け両端部を背中側で布テープファスナー等で留めて装着すると共に、ペットの首に首輪部を、その下側から巻付け背中側で布テープファスナー等で留めて装着し、
２本の介助用バンドの各他端を胴輪部の後辺一方端に着脱自在に取付け、また、胴輪部を装着してペットの下腹部に位置した２本の後肢バンドの各他端を、ペットの後肢の股間を通し、尾の左右に振分けて前記介助用バンドの各他端の取付部付近に着脱自在に取付けた状態で、
飼主等が２本の介助用バンドを持ちペットの胴体を持上げるように支持してペットの歩行を介助し、若しくは、２本の介助用バンドを肩掛けしペットの胴部を横抱きに抱いてペットを容易に運搬できるように備えたものである、
ペットの歩行介助・運搬用胴輪。
【請求項２】
ペットの胴体に中央部内面を腹部側から巻付けると共に両端部を背中側で布テープファスナー等で胴体の太さに合せて調節自在に留めるようにした略長方形の胴輪部において、
該胴輪部を装着した時に、ペットの陰部（主として雄）に相対する部分を切除して切除部を形成したものであり、
ペットに本考案胴輪を装着した状態で、飼主等が２本の介助用バンドを持ちペットの胴体を持上げたときに、切除部があるため、胴輪部のペットの陰部（主として雄）に相対する部分がペットの陰部を圧迫したり尿で汚れたりしないように備えたものである、
請求項１のペットの歩行介助・運搬用胴輪。
【考案の詳細な説明】
【技術分野】
【０００１】
近時、ペット、主として犬（以下単にペットと記す。）を、家族同様に扱って飼育する人が増えてきている。
一方、ペットの飼育年数が長くなるに従って、老齢、病気、怪我、幼弱等の理由で、散歩等の際に、歩行が困難なペットが極めて多くなり、散歩・運動時等に飼主等がペットの歩行を介助しなければならぬ場合が多くなっており、その他、歩行が困難なため、飼主等がペットを抱きかかえて介助・運搬することが必要な場合も増えているため、それらに合わせてペットの歩行介助・運搬等の対策が飼主等の間で大きな課題になってきている。
【０００２】
本考案は、上記課題の有効な対策として、歩行困難なペットの歩行を飼主等が介助・介護するために開発提供する、ペットの歩行介助・運搬等を容易に行なえるように備えたことを特徴しするペットの歩行介助・運搬用胴輪に係るものである。
【背景技術】
【０００３】
従来一般的に使用されている首輪、胴輪等は、飼主等がペットに装着した首輪、胴輪等にリード（引き綱、繋ぎ綱等）を取付けて犬を繋ぎ、引き廻し、犬が勝手に歩き回るのをリードするためだけのものであって、当然、ペットの歩行を介助するためにペットの身体を持上げるようにしたり支えたりすることを目的として作成されていないため、強引にペットの身体を持上げ、或いは支えようとすれば、その首輪、胴輪等がペットの首や胴体に喰い込んで返ってペットに苦痛を与えてしまい、また、該首輪、胴輪等がペットの首や胴体等でずれ動いてしまうため、ペットの歩行介助・運搬用としては全く役に立たない課題があった。
【０００４】
よって、老齢、病気、怪我、幼弱等の理由で歩行が困難なペットの散歩・治療通院等の際に、飼主等がペットが楽に歩き易いようにペットの身体を持上げるように支持してその体重が脚にかかる負担を軽減することができ、或いは、飼主等がペットを抱きかかえて介助・運搬したりすることが容易にできるような、ペットの歩行介助具・運搬用具の提供が課題とされてきた。
【特許文献１】実用新案登録第３１１６４６４号公報
【考案の開示】
【考案が解決しようとする課題】
【０００５】
そこで、本考案は、老齢、病気、怪我、幼弱等の理由で歩行が困難なペットの散歩・治療通院等の際に、飼主等がペットが楽に歩き易いようにペットの身体を持上げるように支持してその体重が脚にかかる負担を軽減するようにし、或いは、飼主等がペットを抱きかかえて介助・運搬したりすることが容易にできる、ペットの歩行介助・運搬用胴輪を提供して、上記従来の課題を有効に解決したものである。
【課題を解決するための手段】
【０００６】
即ち、本考案は、ペットの胴体に中央部内面を腹部側から巻付けると共に両端部を背中側で布テープファスナー等で胴体の太さに合せて調節自在に留めるようにした略長方形の胴輪部と、ペットの首にその下側から巻付けて背中側で布テープファスナー等で首の太さに合せて調節自在に留めるようにした幅広な首輪状の首輪部を、該首輪部の後辺中央と胴輪部の前辺中央を帯状の連結部で連続形成して首輪部と胴輪部を一体に備え、
【０００７】
長さ調節自在な２本の介助用バンドの各一端を首輪部の左右外側面に固着すると共にその各他端を胴輪部の後辺一方端に着脱自在に取付け、また、胴輪部の後辺中央部に設定長の２本の後肢バンドの各一端を固着すると共にその各他端を、前記介助用バンドの各他端の取付部付近に着脱自在に取付けて備えた、ペットの歩行介助・運搬用胴輪であり、
【０００８】
ペットの胴体に上記胴輪部を、その中央部内面を腹部側から巻付け両端部を背中側で布テープファスナー等で留めて装着すると共に、ペットの首に首輪部を、その下側から巻付け背中側で布テープファスナー等で留めて装着し、
【０００９】
２本の介助用バンドの各他端を胴輪部の後辺一方端に着脱自在に取付け、また、胴輪部を装着してペットの下腹部に位置した２本の後肢バンドの各他端を、ペットの後肢の股間を通し、尾の左右に振分けて前記介助用バンドの各他端の取付部付近に着脱自在に取付けた状態で、
【００１０】
飼主等が２本の介助用バンドを持ちペットの胴体を持上げるように支持してペットの歩行を介助し、若しくは、２本の介助用バンドを肩掛けしペットの胴部を横抱きに抱いてペットを容易に運搬できるように備えたものである、ペットの歩行介助・運搬用胴輪によって課題を解決したものである。
【考案の効果】
【００１１】
本考案は、老齢、病気、怪我、幼弱等の理由で歩行が困難なペットの散歩・治療通院等の際に、飼主等が介助用バンドを持ってペットの身体を持上げるように支持し、その体重が脚にかかる負担を軽減してペットの歩行を介助することができ、若しくは、介助用バンドを肩掛けしペットの胴部を横抱きに抱いてペットを容易に運搬できすることができる優れた効果がある。
【００１２】
特に、胴輪部と首輪部を連結部を介して一体に構成し、それに各２本の介助用バンドと後肢バンドを備えて、ペットの身体に優しくフィットして装着できるようにしたので、飼主等が歩行介助のため介助用バンドを持ってペットを持上げ支えるようにしたとき、或いは、運搬のため介助用バンドを肩に掛けてペットを抱きかかえたときに、ペットの首に首輪部が装着されているためそれと一体の胴輪部がずれ動くことがなく、同時に、２本の後肢バンドをペットの後肢の股間を通し介助用バンドの各他端の取付部付近に取付けたので胴輪部（一体の首輪部）の前方へのずれを抑えて定位置に保持でき、更に、後肢バンドを尾の左右に振分けたので、該後肢バンドが両後肢を平均的に持上げることになり、
よって、飼主等がペット全身をペットに身体的苦痛・負担を与えること無しに、極めて安定的に持上げ支持して歩行を介助でき、また、ペットを抱きかかえて容易に運搬できる優れた特徴がある。
【００１３】
また、本考案胴輪の胴輪部において、ペットに装着した時に、該胴輪部がペットの陰部（主として雄）と相対する部分を切除して、予め切除部を形成したので、
本考案胴輪をペットに装着した状態で、飼主等がペットの歩行を介助するため、或いは、運搬のため介助用バンドを持ちペットの胴体を持上げたときに、切除部を設けたため、胴輪部のペットの陰部（主として雄）に相対する部分がペットの陰部を圧迫したり尿で汚れたりすることがない特徴がある。
【実施例】
【００１４】
以下、図面により、本考案の実施例につき説明する。
図１は本考案実施例の側面斜視図、図２は図１を展開した状態の表面図、図３は図２の内面図、図４は図１の実施例をペットに装着した状態の図、図５は図４の下半身部の斜視図、図６は図５の下面図である。
【００１５】
符号、Ａは本考案実施例、１はペット（犬）、２は布テープファスナー（胴輪部）、３は胴輪部、４は布テープファスナー（首輪部）、５は首輪部、６は連結部、７は介助用バンド、８は把部、９はホルダー、１０は後肢バンド、１１は切除部である。
【００１６】
ペット１の胴体に中央部内面を腹部側から巻付けると共に両端部を背中側で布テープファスナー２等で胴体の太さに合せて調節自在に留めるようにした略長方形の胴輪部３と、ペット１の首にその下側から巻付けて背中側で布テープファスナー４等で首の太さに合せて調節自在に留めるようにした幅広な首輪状の首輪部５を、該首輪部５の後辺中央と胴輪部３の前辺中央を帯状の連結部６で連続形成して首輪部５と胴輪部３を一体に備え、
【００１７】
長さ調節自在な２本の介助用バンド７の各一端を首輪部５の左右外側面に固着すると共にその各他端を胴輪部３の後辺一方端に着脱自在に取付け、また、胴輪部３の後辺中央部に設定長の２本の後肢バンド１０の各一端を固着すると共にその各他端を、前記介助用バンド７の各他端の取付部付近に着脱自在に取付けて備えた、ペットの歩行介助・運搬用胴輪Ａであり、
【００１８】
ペット１の胴体に上記胴輪部３を、その中央部内面を腹部側から巻付け両端部を背中側で布テープファスナー２等で留めて装着すると共に、ペット１の首に首輪部５を、その下側から巻付け背中側で布テープファスナー４等で留めて装着し、
【００１９】
２本の介助用バンド７の各他端を胴輪部３の後辺一方端に着脱自在に取付け、また、胴輪部３を装着してペット１の下腹部に位置した２本の後肢バンド１０の各他端を、ペット１の後肢の股間を通し、尾の左右に振分けて前記介助用バンド７の各他端の取付部付近に着脱自在に取付けた状態で、
【００２０】
飼主等が２本の介助用バンド７の把部８（把部８に取付けたホルダー９）を持ちペット１の胴体を持上げるように支持してペット１の歩行を介助し、若しくは、介助用バンド７の把部８を肩掛けしペット１の胴部を横抱きに抱いてペット１を容易に運搬できるように備えたものである、ペットの歩行介助・運搬用胴輪Ａである。
【００２１】
また、上記胴輪Ａの、ペット１の胴体に中央部内面を腹部側から巻付けると共に両端部を背中側で布テープファスナー２等で胴体の太さに合せて調節自在に留めるようにした略長方形の胴輪部３において、該胴輪部３を装着した時に、ペットの陰部（主として雄）に相対する部分を切除して切除部１１を形成したものであり、
【００２２】
ペット１に上記胴輪Ａを装着した状態で、飼主等がペット１の歩行を介助するため、介助用バンドの把部８を持ちペット１の胴体を持上げたとき、切除部１１を形成したことによって、胴輪部３のペットの陰部（主として雄）に相対する部分がペットの陰部を圧迫したり尿で汚れたりしないように備えたものである。
【産業上の利用可能性】
【００２３】
本考案ペットの歩行介助・運搬用胴輪は、最も一般的なペットである犬用としてに限らず、四足歩行するペットの歩行・運搬介助用具として極めて広い利用可能性がある。
【図面の簡単な説明】
【００２４】
【図１】本考案実施例の側面斜視図。
【図２】図１を展開した状態の表面図。
【図３】図２の内面図。
【図４】図１の実施例をペットに装着した状態の図。
【図５】図４の下半身部の斜視図。
【図６】図５の下面図。
【符号の説明】
【００２５】
Ａ    本考案実施例
１    ペット（犬）
２    布テープファスナー（胴輪部）
３    胴輪部
４    布テープファスナー（首輪部）
５    首輪部
６    連結部
７    介助用バンド
８    把部
９    ホルダー
１０  後肢バンド
１１  切除部
【図１】
0003130391.tif 000003
【図２】
0003130391.tif 000004
【図３】
0003130391.tif 000005
【図４】
0003130391.tif 000006
【図５】
0003130391.tif 000007
【図６】
0003130391.tif 000008
【手続補正書】
【提出日】平成19年1月22日(2007.1.22)
【手続補正１】
【補正対象書類名】実用新案登録請求の範囲
【補正対象項目名】請求項２
【補正方法】変更
【補正の内容】
【請求項２】
ペットの胴体に中央部内面を腹部側から巻付けると共に両端部を背中側で布テープファスナー等で胴体の太さに合せて調節自在に留めるようにした略長方形の胴輪部において、
該胴輪部を装着した時に、ペットの陰部に相対する部分を切除して切除部を形成したものであり、
ペットに本考案胴輪を装着した状態で、飼主等が２本の介助用バンドを持ちペットの胴体を持上げたときに、切除部があるため、胴輪部のペットの陰部に相対する部分がペットの陰部を圧迫したり尿で汚れたりしないように備えたものである、
請求項１のペットの歩行介助・運搬用胴輪。